(57)【要約】【課題】側型枠の転用性、汎用性を高めた非常に経済的で、省資源及びエコロジーの面でも大きな効果を期待できるＰＣ桁製造用鋼製型枠を提供する。【解決手段】底版型枠Ａ上に一定間隔を保持して側型枠Ｂが立設されるＰＣ桁製造用鋼製型枠において、前記側型枠のうち、ＰＣ桁のウエブを成形するウエブ用鋼製型枠２を、互いに上下に継足し連結可能で且つ外面に補剛用スチフナーが設けられていない複数枚の堰板４と、これらの堰板の外面に取り付けることにより補剛用スチフナーの役目を果たす幅広で且つ上下方向に長さ調節可能なスライドフレーム５とに分割された構造とし、堰板の枚数の変更及び又は上下幅の異なるものとの変更と、スライドフレームの長さ調節とにより、高さの異なるＰＣ桁を製造できるようにする。【選択図】図１
0003157606.tif 000002
【実用新案登録請求の範囲】
【請求項１】
底版型枠上に一定間隔を保持して側型枠が立設されるＰＣ桁製造用鋼製型枠において、前記側型枠のうち、ＰＣ桁のウエブを成形するウエブ用鋼製型枠を、互いに上下に継足し連結可能で且つ外面に補剛用スチフナーが設けられていない複数枚の堰板と、これらの堰板の外面に取り付けることにより補剛用スチフナーの役目を果たす幅広で且つ上下方向に長さ調節可能なスライドフレームとに分割された構造とし、堰板の枚数の変更及び又は上下幅の異なるものとの変更と、スライドフレームの長さ調節とにより、高さの異なるＰＣ桁を製造できるようにしたことを特徴とするＰＣ桁製造用鋼製型枠。
【請求項２】
底版型枠上に一定間隔を保持して側型枠が立設されるＰＣ桁製造用鋼製型枠において、前記側型枠を、ＰＣ桁の上部フランジとウエブ上端部を成形する補剛用スチフナー付きの上部フランジ用鋼製型枠と、ＰＣ桁のウエブを成形するウエブ用鋼製型枠と、ＰＣ桁の下部フランジとウエブ下端部を成形する補剛用スチフナー付きの下部フランジ用鋼製型枠とに分割された構造とし、更に、ウエブ用鋼製型枠を、互いに上下に継足し連結可能で且つ外面に補剛用スチフナーが設けられていない複数枚の堰板と、これらの堰板の外面に取り付けることにより補剛用スチフナーの役目を果たす幅広で且つ上下方向に長さ調節可能なスライドフレームに分割された構造とし、堰板の枚数の変更及び又は上下幅の異なるものとの変更と、スライドフレームの長さ調節とにより、高さの異なるＰＣ桁を製造できるようにしたことを特徴とするＰＣ桁製造用鋼製型枠。
【請求項３】
上部フランジ用鋼製型枠をフランジ幅やフランジ厚の異なる大きさのものと変更可能に構成し、下部フランジ用鋼製型枠を、堰板と面一の垂直成形面とその下端から外側へ連設された傾斜成形面とその下端から下方へ連設された垂直成形面とを備えた主要型枠部と、その下端に着脱交換可能に連結された継足し型枠部とに分割された構造とし、下部フランジ用鋼製型枠の継足し型枠部を上下寸法の異なるものと交換可能に構成したことを特徴とする請求項２に記載のＰＣ桁製造用鋼製型枠。
【請求項４】
下部フランジ用鋼製型枠を、下部フランジの無い基部を成形するための補剛用スチフナー付きの基部用鋼製型枠と交換可能に構成したことを特徴とする請求項２又は３に記載のＰＣ桁製造用鋼製型枠。
【考案の詳細な説明】
【技術分野】
【０００１】
本考案は、底版型枠上に一定間隔を保持して側型枠が立設されるＰＣ桁製造用鋼製型枠に関する。
【背景技術】
【０００２】
ＰＣ桁には、特許文献１に示すように、上部フランジとウエブと下部フランジとで構成されるＰＣ桁と、特許文献２に示すように、上部フランジとウエブで構成される下部フランジの無いＰＣ桁とがあり、前者は主として高架道路に用いられ、後者は主として高架鉄道に用いられている。
【０００３】
従来、このような二種類のＰＣ桁の製造には、図７、図８に示すように、夫々に専用の二種類のＰＣ桁製造用鋼製型枠が用いられていた。図８に示す高架鉄道用のＰＣ桁製造用鋼製型枠は、現場毎に寸法の異なるものが作製され、工事完了後、全体をスクラップとするのが普通である。図８に示すｂは、タイロッドｃ、端太材ｄ、端太材押えｅ、ナットｆ等で構成されたフォームタイであり、補剛用スチフナーの代用として設けられている。
【０００４】
一方、高架道路用のＰＣ桁製造用鋼製型枠は、図７に示すように、側型枠を、ＰＣ桁の上部フランジとウエブ上端部を成形する上部フランジ用鋼製型枠１Ａと、ＰＣ桁のウエブの中間部を成形する中間部用鋼製型枠２Ａと、ＰＣ桁のウエブの下半部と下部フランジを成形する下部用鋼製型枠３Ａとに分割された構造とされていた。そして、製造するＰＣ桁の高さに応じて、中間部用鋼製型枠２Ａを上下寸法の異なるものと交換するように構成されていた。
【０００５】
しかしながら、従来の高架道路用のＰＣ桁製造用鋼製型枠では、図示の通り、コンクリートの成形面となる堰板とその外面に設けられる補剛用のスチフナー（力骨）とが一体物として作製されており、各々の鋼製型枠に汎用性が殆ど無いので、非常に不経済であり、省資源、延いてはエコロジーの面でも問題があった。
【０００６】
即ち、製造するＰＣ桁の高さが高い程、ウエブの厚さも厚くなり、型枠内に打設されるコンクリート量が増え、側型枠に作用するコンクリートの側圧が大きくなる。従って、背の高いＰＣ桁を製造する場合、中間部用鋼製型枠２Ａとして、単に、上下寸法が長いだけでなく、補剛用スチフナー（力骨）も幅広で大きな側圧に耐え得るものが必要となり、それ故、高さの異なるＰＣ桁を製造するためには、非常に多種類の、換言すれば、転用回数が少なくて汎用性に欠ける数多くの中間部用鋼製型枠２Ａを準備する必要があり、経済的損失が大きかったのである。
【０００７】
また、上部フランジ用鋼製型枠１Ａや下部用鋼製型枠３Ａも、堰板とその外面に設けられる補剛用スチフナー（力骨）とが一体物として作製されているため、中間部用鋼製型枠のサイズ変更に応じて、当然、上部フランジ用鋼製型枠や下部用鋼製型枠もサイズ変更が必要とされることになり、非常に不経済である。
【先行技術文献】
【特許文献】
【０００８】
【特許文献１】特開２００５−３３６７７６号公報
【特許文献２】特開２００１−１４６７１７号公報
【考案の概要】
【考案が解決しようとする課題】
【０００９】
本考案は、上記の問題点を踏まえて成されたものであって、その目的とするところは、側型枠の転用性、汎用性を高めた非常に経済的で、省資源及びエコロジーの面でも大きな効果を期待できるＰＣ桁製造用鋼製型枠を提供することにある。
【課題を解決するための手段】
【００１０】
上記の目的を達成するために本考案が講じた技術的手段は、次のとおりである。即ち、請求項１に記載の考案は、底版型枠上に一定間隔を保持して側型枠が立設されるＰＣ桁製造用鋼製型枠において、前記側型枠のうち、ＰＣ桁のウエブを成形するウエブ用鋼製型枠を、互いに上下に継足し連結可能で且つ外面に補剛用スチフナーが設けられていない複数枚の堰板と、これらの堰板の外面に取り付けることにより補剛用スチフナーの役目を果たす幅広で且つ上下方向に長さ調節可能なスライドフレームとに分割された構造とし、堰板の枚数の変更及び又は上下幅の異なるものとの変更と、スライドフレームの長さ調節とにより、高さの異なるＰＣ桁を製造できるようにしたことを特徴としている。
【００１１】
請求項２に記載の考案は、底版型枠上に一定間隔を保持して側型枠が立設されるＰＣ桁製造用鋼製型枠において、前記側型枠を、ＰＣ桁の上部フランジとウエブ上端部を成形する補剛用スチフナー付きの上部フランジ用鋼製型枠と、ＰＣ桁のウエブを成形するウエブ用鋼製型枠と、ＰＣ桁の下部フランジとウエブ下端部を成形する補剛用スチフナー付きの下部フランジ用鋼製型枠とに分割された構造とし、更に、ウエブ用鋼製型枠を、互いに上下に継足し連結可能で且つ外面に補剛用スチフナーが設けられていない複数枚の堰板と、これらの堰板の外面に取り付けることにより補剛用スチフナーの役目を果たす幅広で且つ上下方向に長さ調節可能なスライドフレームに分割された構造とし、堰板の枚数の変更及び又は上下幅の異なるものとの変更と、スライドフレームの長さ調節とにより、高さの異なるＰＣ桁を製造できるようにしたことを特徴としている。
【００１２】
請求項３に記載の考案は、請求項２に記載のＰＣ桁製造用鋼製型枠であって、上部フランジ用鋼製型枠をフランジ幅やフランジ厚の異なる大きさのものと変更可能に構成し、下部フランジ用鋼製型枠を、堰板と面一の垂直成形面とその下端から外側へ連設された傾斜成形面とその下端から下方へ連設された垂直成形面とを備えた主要型枠部と、その下端に着脱交換可能に連結された継足し型枠部とに分割された構造とし、下部フランジ用鋼製型枠の継足し型枠部を上下寸法の異なるものと交換可能に構成したことを特徴としている。
【００１３】
請求項４に記載の考案は、請求項２又は３に記載のＰＣ桁製造用鋼製型枠であって、下部フランジ用鋼製型枠を、下部フランジの無い基部を成形するための補剛用スチフナー付きの基部用鋼製型枠と交換可能に構成したことを特徴としている。
【考案の効果】
【００１４】
請求項１に記載の考案によれば、底版型枠上に一定間隔を保持して側型枠が立設されるＰＣ桁製造用鋼製型枠において、前記側型枠のうち、ＰＣ桁のウエブを成形するウエブ用鋼製型枠を、互いに上下に継足し連結可能で且つ外面に補剛用スチフナーが設けられていない複数枚の堰板と、これらの堰板の外面に取り付けることにより補剛用スチフナーの役目を果たす幅広で且つ上下方向に長さ調節可能なスライドフレームとに分割された構造とし、堰板の枚数の変更及び又は上下幅の異なるものとの変更と、スライドフレームの長さ調節とにより、高さの異なるＰＣ桁を製造できるようにしたので、スライドフレームがＰＣ桁の高さに関係なく転用されることになり、側型枠の転用性、汎用性が向上することになる。従って、非常に経済的であり、省資源及びエコロジーの面でも大きな効果を期待できる。
【００１５】
請求項２に記載の考案によれば、堰板の枚数の変更及び又は上下幅の異なるものとの変
更と、スライドフレームの長さ調節とにより、高さの異なるＰＣ桁を製造できることに加え、上部フランジ用鋼製型枠をフランジ幅やフランジ厚の異なる大きさのものと変更することによって、上部フランジのフランジ幅やフランジ厚の異なるＰＣ桁を製造できる効果がある。
【００１６】
請求項３に記載の考案によれば、下部フランジ用鋼製型枠の継足し型枠部を上下寸法の異なるものと交換することにより、高さの異なるＰＣ桁、殊に、下部フランジの厚さの異なるＰＣ桁を製造できる効果がある。
【００１７】
請求項４に記載の考案によれば、下部フランジ用鋼製型枠を、下部フランジの無い基部を成形するための補剛用スチフナー付きの基部用鋼製型枠と交換することにより、上部フランジとウエブで構成される下部フランジの無いＰＣ桁とを製造でき、一種類のＰＣ桁製造用鋼製型枠の大部分を利用して、上部フランジとウエブと下部フランジとで構成される高架道路用のＰＣ桁と、上部フランジとウエブで構成される下部フランジの無い高架鉄道用のＰＣ桁を製造できる効果がある。
【図面の簡単な説明】
【００１８】
【図１】本考案の実施形態を示すＰＣ桁製造用鋼製型枠の縦断面図である。
【図２】上記ＰＣ桁製造用鋼製型枠の異なる位置での縦断面図である。
【図３】要部の拡大横断平面図である。
【図４】要部の斜視図である。
【図５】作用を説明するＰＣ桁製造用鋼製型枠の縦断面図である。
【図６】作用を説明するＰＣ桁製造用鋼製型枠の縦断面図である。
【図７】従来例を示すＰＣ桁製造用鋼製型枠の縦断面図である。
【図８】他の従来例を示すＰＣ桁製造用鋼製型枠の縦断面図である。
【考案を実施するための形態】
【００１９】
以下、本考案の実施形態を図面に基づいて説明する。図１〜図６は、本考案に係るＰＣ桁製造用鋼製型枠の一例を示す。このＰＣ桁製造用鋼製型枠は、底版型枠Ａ上に一定間隔を保持して側型枠Ｂが立設されるＰＣ桁製造用鋼製型枠において、前記側型枠Ｂを、ＰＣ桁の上部フランジとウエブ上端部を成形する補剛用スチフナーａ付きの上部フランジ用鋼製型枠１と、ＰＣ桁のウエブを成形するウエブ用鋼製型枠２と、ＰＣ桁の下部フランジとウエブ下端部を成形する補剛用スチフナーａ付きの下部フランジ用鋼製型枠３とに分割された構造とされている。
【００２０】
更に、前記ウエブ用鋼製型枠２は、互いに上下に継足し連結可能で且つ外面に補剛用スチフナーが設けられていない厚みＴの薄い矩形箱状を呈する複数枚の堰板４と、これらの堰板４の外面に取り付けることにより補剛用スチフナーの役目を果たす幅広で且つ上下方向に長さ調節可能なスライドフレーム５に分割された構造とされている。
【００２１】
各スライドフレーム５は、両端近傍部に一定間隔で複数個のボルト孔６が穿設された垂直平板部５ａと、その両端から同一方向に直角に折曲連設された折曲板部５ｂとで形成される２枚の溝状鋼材を背中合わせに配置し、ボルト・ナット７で互いに連結して構成されたもので、背が最も高いＰＣ桁を製造する際の大きなコンクリート側圧に対抗できるように十分に広い幅（３００ｍｍ）Ｈに設定され、ボルト孔６の選択により、上下方向に長さ調節するように構成されている。
【００２２】
堰板４は、垂直板部と、その裏面周囲に折曲連設された幅狭のフランジ及びそれらのフランジ間に格子状に配設された幅狭のフランジとで構成され、上，下辺のフランジ同士をボルト・ナット８で連結するように構成されている。堰板４としては、上下幅のみが異な
る複数種類（例えば、１００ｍｍ、１５０ｍｍ、２００ｍｍ、３００ｍｍ、４００ｍｍ、５００ｍｍの６種類）の堰板４が準備されている。
【００２３】
そして、堰板４の枚数の変更及び又は上下幅の異なるものとの変更と、スライドフレーム５の長さ調節とにより、高さの異なるＰＣ桁を製造できるように構成されている。尚、堰板４とスライドフレーム５とは、図３、図４に示すように、フックボルト９とナット１０によって着脱自在に連結されている。
【００２４】
また、上部フランジ用鋼製型枠１は、製造するＰＣ桁の上部フランジの種類に応じて、フランジ幅やフランジ厚の異なる大きさのものと変更可能に構成されている。下部フランジ用鋼製型枠３は、前記堰板４と面一の垂直成形面Ｓ１とその下端から外側へ連設された傾斜成形面Ｓ２とその下端から下方へ連設された垂直成形面Ｓ３とを備えた主要型枠部３ａと、その下端に着脱交換可能に連結された継足し型枠部３ｂとに分割された構造とされており、製造するＰＣ桁の下部フランジの厚みに応じて下部フランジ用鋼製型枠３の継足し型枠部３ｂを上下寸法の異なるものと交換することができるように構成されている。
【００２５】
また、前記下部フランジ用鋼製型枠３は、図６に示すように、下部フランジの無い基部を成形するための補剛用スチフナーａ付きの基部用鋼製型枠３０と交換可能に構成されている。
【００２６】
上記の構成によれば、堰板４の枚数の変更及び又は上下幅の異なるものとの変更と、スライドフレーム５の長さ調節とにより、高さの異なるＰＣ桁を製造できるようにしたので、スライドフレーム５がＰＣ桁の高さに関係なく転用されることになり、側型枠Ｂの転用性、汎用性が向上することになる。従って、非常に経済的であり、省資源及びエコロジーの面でも大きな効果を期待できる。
【００２７】
しかも、上部フランジ用鋼製型枠１をフランジ幅やフランジ厚の異なる大きさのものと変更することによって、上部フランジのフランジ幅やフランジ厚の異なるＰＣ桁を製造できるし、下部フランジ用鋼製型枠３の継足し型枠部３ｂを上下寸法の異なるものと交換することにより、下部フランジの厚さの異なるＰＣ桁を製造できる。
【００２８】
また、下部フランジ用鋼製型枠３と基部用鋼製型枠３０を使い分けることにより、一種類のＰＣ桁製造用鋼製型枠の大部分を利用して、上部フランジとウエブと下部フランジとで構成される高架道路用のＰＣ桁と、上部フランジとウエブで構成される下部フランジの無い高架鉄道用のＰＣ桁を製造できる。
【産業上の利用可能性】
【００２９】
本考案のＰＣ桁製造用鋼製型枠は、高架道路用のＰＣ桁や高架鉄道用のＰＣ桁の他、全てのＰＣ桁の製造に利用できる。
【符号の説明】
【００３０】
１  上部フランジ用鋼製型枠
２  ウエブ用鋼製型枠
３  下部フランジ用鋼製型枠
３ａ  主要型枠部
３ｂ  継足し型枠部
４  堰板
５  スライドフレーム
５ａ  垂直平板部
５ｂ  折曲板部
６  ボルト孔
７  ボルト・ナット
８  ボルト・ナット
９  フックボルト
１０  ナット
３０  基部用鋼製型枠
Ａ  底版型枠
Ｂ  側型枠
Ｈ  幅
Ｔ  厚み
Ｓ１  垂直成形面
Ｓ２  傾斜成形面
Ｓ３  垂直成形面
ａ  補剛用スチフナー
ｂ  フォームタイ
ｃ  タイロッド
ｄ  端太材
ｅ  端太材押え
ｆ  ナット
１Ａ  上部フランジ用鋼製型枠
２Ａ  中間部用鋼製型枠
３Ａ  下部用鋼製型枠
【図１】
0003157606.tif 000003
【図２】
0003157606.tif 000004
【図３】
0003157606.tif 000005
【図４】
0003157606.tif 000006
【図５】
0003157606.tif 000007
【図６】
0003157606.tif 000008
【図７】
0003157606.tif 000009
【図８】
0003157606.tif 000010